【手続補正書】
【提出日】平成27年4月23日(2015.4.23)
【手続補正１】
【補正対象書類名】特許請求の範囲
【補正対象項目名】全文
【補正方法】変更
【補正の内容】
【特許請求の範囲】
【請求項１】
ワンド及びスクリーンと通信する電子デバイスであって、
前記スクリーン上に表示するメディアアプリケーションインタフェースを提供する手段と、
前記ワンドから送信を受信する手段であって、前記送信は、前記ワンドが前記スクリーンに対する第１の位置を指し示している間の、前記ワンドに組み込まれた少なくとも１つの動き検出要素の出力を含む、手段と、
前記ワンドから前記送信を受信したことに応えて、
前記第１の位置が前記スクリーンの端部に隣接する前記スクリーンの第１の部分を含むと判定するか、又は、前記第１の位置が前記スクリーンを越えて前記スクリーンの前記端部に隣接すると判定し、
前記第１の位置が前記スクリーンの前記端部に隣接する前記スクリーンの前記第１の部分を含むと判定したことに従って、第１のメディアアプリケーション動作を実行し、
前記第１の位置が前記スクリーンを越えて前記スクリーンの前記端部に隣接すると判定したことに従って、前記第１のメディアアプリケーション動作とは異なる第２のメディアアプリケーション動作を実行する
手段と、
を備えることを特徴とする電子デバイス。
【請求項２】
前記端部は前記スクリーンの右端であり、前記第１のメディアアプリケーション動作は早送り動作であり、前記第２のメディアアプリケーション動作は次へのスキップ動作である
ことを特徴とする請求項１に記載のデバイス。
【請求項３】
前記端部は前記スクリーンの左端であり、前記第１のメディアアプリケーション動作は巻き戻し動作であり、前記第２のメディアアプリケーション動作は前へのスキップ動作である
ことを特徴とする請求項１に記載のデバイス。
【請求項４】
前記表示されるメディアアプリケーションインタフェースは、メディアアイテムの配列を含み、前記第１のメディアアプリケーション動作は、前記端部に対応する方向のスクロール動作であり、前記第２のメディアアプリケーション動作は、前記端部に対応する方向のページング動作である
ことを特徴とする請求項１に記載のデバイス。
【請求項５】
前記スクリーン上に表示するカーソルを提供する手段と、
前記ワンドから前記送信を受信したことに応えて、前記スクリーン上で前記カーソルを移動させる手段と、
を備えることを特徴とする請求項１に記載のデバイス。
【請求項６】
前記第１の位置が前記スクリーンを越えて前記スクリーンの前記端部に隣接するという判定に従って、前記表示されるカーソルの外見の変更を提供する手段
を備えることを特徴とする請求項５に記載のデバイス。
【請求項７】
前記電子デバイスにより、前記受信した出力に基づいて前記ワンドの移動方向を判定する手段を備え、
前記第１のメディアアプリケーション動作を実行すること、及び前記第２のメディアアプリケーション動作を実行することのうち、少なくとも一方は、前記判定した移動方向に部分的に基づく
ことを特徴とする請求項１に記載のデバイス。
【請求項８】
ワンド及びスクリーンと通信する電子デバイスに、
前記スクリーン上に表示するメディアアプリケーションインタフェースを提供するステップと、
前記ワンドから送信を受信するステップであって、前記送信は、前記ワンドが前記スクリーンに対する第１の位置を指し示している間の、前記ワンドに組み込まれた少なくとも１つの動き検出要素の出力を含む、ステップと、
前記ワンドから前記送信を受信したことに応えて、
前記第１の位置が前記スクリーンの端部に隣接する前記スクリーンの第１の部分を含むと判定するか、又は、前記第１の位置が前記スクリーンを越えて前記スクリーンの前記端部に隣接すると判定し、
前記第１の位置が前記スクリーンの前記端部に隣接する前記スクリーンの前記第１の部分を含むと判定したことに従って、第１のメディアアプリケーション動作を実行し、
前記第１の位置が前記スクリーンを越えて前記スクリーンの前記端部に隣接すると判定したことに従って、前記第１のメディアアプリケーション動作とは異なる第２のメディアアプリケーション動作を実行する
ステップと、
を含む方法を実行させるプログラム。
【請求項９】
前記端部は前記スクリーンの右端であり、前記第１のメディアアプリケーション動作は早送り動作であり、前記第２のメディアアプリケーション動作は次へのスキップ動作である
ことを特徴とする請求項８に記載のプログラム。
【請求項１０】
前記端部は前記スクリーンの左端であり、前記第１のメディアアプリケーション動作は巻き戻し動作であり、前記第２のメディアアプリケーション動作は前へのスキップ動作である
ことを特徴とする請求項８に記載のプログラム。
【請求項１１】
前記表示されるメディアアプリケーションインタフェースは、メディアアイテムの配列を含み、前記第１のメディアアプリケーション動作は、前記端部に対応する方向のスクロール動作であり、前記第２のメディアアプリケーション動作は、前記端部に対応する方向のページング動作である
ことを特徴とする請求項８に記載のプログラム。
【請求項１２】
前記方法は、
前記スクリーン上に表示するカーソルを提供するステップと、
前記ワンドから前記送信を受信したことに応えて、前記スクリーン上で前記カーソルを移動させるステップと、
を含む
ことを特徴とする請求項８に記載のプログラム。
【請求項１３】
前記方法は、前記第１の位置が前記スクリーンを越えて前記スクリーンの前記端部に隣接するという判定に従って、前記表示されるカーソルの外見の変更を提供するステップを含む
ことを特徴とする請求項１２に記載のプログラム。
【請求項１４】
前記方法は、前記電子デバイスにより、前記受信した出力に基づいて前記ワンドの移動方向を判定するステップを含み、
前記第１のメディアアプリケーション動作を実行すること、及び前記第２のメディアアプリケーション動作を実行することのうち、少なくとも一方は、前記判定した移動方向に部分的に基づく
ことを特徴とする請求項８に記載のプログラム。
【請求項１５】
ワンド及びスクリーンと通信する電子デバイス上で実行されるメディアアプリケーションの動作を制御する方法であって、
前記スクリーン上に表示するメディアアプリケーションインタフェースを提供するステップと、
前記ワンドから送信を受信するステップであって、前記送信は、前記ワンドが前記スクリーンに対する第１の位置を指し示している間の、前記ワンドに組み込まれた少なくとも１つの動き検出要素の出力を含む、ステップと、
前記ワンドから前記送信を受信したことに応えて、
前記第１の位置が前記スクリーンの端部に隣接する前記スクリーンの第１の部分を含むと判定するか、又は、前記第１の位置が前記スクリーンを越えて前記スクリーンの前記端部に隣接すると判定し、
前記第１の位置が前記スクリーンの前記端部に隣接する前記スクリーンの前記第１の部分を含むと判定したことに従って、第１のメディアアプリケーション動作を実行し、
前記第１の位置が前記スクリーンを越えて前記スクリーンの前記端部に隣接すると判定したことに従って、前記第１のメディアアプリケーション動作とは異なる第２のメディアアプリケーション動作を実行する
ステップと、
を備えることを特徴とする方法。
【請求項１６】
前記端部は前記スクリーンの右端であり、前記第１のメディアアプリケーション動作は早送り動作であり、前記第２のメディアアプリケーション動作は次へのスキップ動作である
ことを特徴とする請求項１５に記載の方法。
【請求項１７】
前記端部は前記スクリーンの左端であり、前記第１のメディアアプリケーション動作は巻き戻し動作であり、前記第２のメディアアプリケーション動作は前へのスキップ動作である
ことを特徴とする請求項１５に記載の方法。
【請求項１８】
前記表示されるメディアアプリケーションインタフェースは、メディアアイテムの配列を含み、前記第１のメディアアプリケーション動作は、前記端部に対応する方向のスクロール動作であり、前記第２のメディアアプリケーション動作は、前記端部に対応する方向のページング動作である
ことを特徴とする請求項１５に記載の方法。
【請求項１９】
前記スクリーン上に表示するカーソルを提供するステップと、
前記ワンドから前記送信を受信したことに応えて、前記スクリーン上で前記カーソルを移動させるステップと、
を備えることを特徴とする請求項１５に記載の方法。
【請求項２０】
前記第１の位置が前記スクリーンを越えて前記スクリーンの前記端部に隣接するという判定に従って、前記表示されるカーソルの外見の変更を提供するステップ
を備えることを特徴とする請求項１９に記載の方法。
【請求項２１】
前記電子デバイスにより、前記受信した出力に基づいて前記ワンドの移動方向を判定するステップを備え、
前記第１のメディアアプリケーション動作を実行すること、及び前記第２のメディアアプリケーション動作を実行することのうち、少なくとも一方は、前記判定した移動方向に部分的に基づく
ことを特徴とする請求項１５に記載の方法。